(57)【要約】【課題】栽培育成する植物に対する給水作業を軽減させるため、一度の灌水で供給する水の量を多くしたときに、過剰の水が、植物に根腐れを生ぜしめずにプランター内に貯留・保水されて、時日の経過により植物に有効に利用されるようになる構造のプランターを、間伐材を用いて得られるようにする。【解決手段】木材により形成した四隅の角柱１と、四周の側壁板と、底壁とする底板２とにより組み立てる、四角な箱状の木製の容器本体ａの内面側に、非透水性の防水シートｂを内張り状に配設し、周縁部を前記四周の側壁板３の上縁に懸架して水密構造の木製の容器本体ａを構成し、その容器本体ａの内部の下半側に、生の木片のウッドチップｃを詰め込み、その上面に植物繊維よりなる有孔のシートｄを敷き込み、上半側に、ピートモス，鹿沼土，腐葉土，及び籾殻を放線菌により堆肥醗酵させた堆肥等を配合して軽量化した床土ｅを詰め込んで節水型の木製プランターを構成する。【選択図】図２
2011142835.tif 000002
【特許請求の範囲】
【請求項１】
それぞれ木材により形成した四隅に配位する角柱（１）と、四周を囲う側壁板（３）と、底壁とする底板（２）とにより、四角な箱状の木製の容器本体（ａ）を組み立て、その容器本体（ａ）の内面側に、合成樹脂材等からなる非透水性の防水シート（ｂ）を内張り状に配位し、その防水シート（ｂ）の周縁部を前記四周の側壁板（３）の上縁に懸架して木製の容器本体（ａ）を水密構造に構成し、その容器本体（ａ）の内部の下半側に、生の木片のウッドチップ（ｃ）を、その下半側を充たす厚さに詰め込み、そのウッドチップ（ｃ）の堆積層の上面に、植物繊維よりなる有孔のシート（ｄ）を敷き込み、そのシート（ｄ）の上面側の、容器本体（ａ）内の上半側に、ピートモス，鹿沼土，腐葉土，及び籾殻を放線菌により堆肥醗酵させた堆肥等を配合して軽量化した床土ｅを詰め込んでなる節水型の木製プランター。
【請求項２】
四周の側壁板（３）の上縁に、その上縁に懸架した防水シート（ｂ）の周縁部の上から、銅板により嵌め込み枠に成形したナメクジ除けの枠縁（ｆ）を嵌挿して、防水シート（ｂ）の周縁部を側壁板（３）の上縁に形着せしめたことを特徴とする請求項１記載の節水型の木製プランター。
【請求項３】
容器本体（ａ）の内部の上半側に装填する床土（ｅ）を、ピートモス，鹿沼土，腐葉土，及び籾殻を放線菌により醗酵させて堆肥化させた特殊肥料とを略等量ずつの割合で配合して調整してあることを特徴とする請求項１記載の節水型の木製プランター。
【発明の詳細な説明】
【技術分野】
【０００１】
本発明は、花卉・野菜類を栽培育成するための栽培容器（プランター）に係り、容器内に詰め込む床土の保水力を高めて、給水の頻度を少なくし得るようにする節水型木製栽培容器に関する。
【背景技術】
【０００２】
花卉・野菜類等の植物を栽培育成するプランターは、通常、磁製または合成樹脂製の鉢形に作られ、底面には排水用の孔が形成されている。また、原材料が低コストで得られることで、木材で箱形の鉢に作られた木製のプランターもあるが、この木製のものも、容器内に詰め込んだ床土に対して、給水したときの余剰の水を、底板に設けた排水孔からか、周壁・底壁を形成する板材の合わせ目から、排出させるようにしているものである。
【０００３】
プランターで、茄子・トマト等の野菜類を栽培する場合は、容量の大きいプランターを用い、多量の床土を詰め込んで栽培するが、野菜類は多くの水を要求するので、多量の水を供給しなければならない。この多量の水を、プランター内に対して一度に行うと、プランター内の床土の水を吸収し保持する能力に限界があることで、給水力・保水力の限界を超えた水が、床土から遊離してプランターの底部の排水孔から外部に溢流排出されるようになるから、多量の水をプランターに注ぎ込んでもプランター内には、床土に吸収されて保持された水しか残らない結果となる。
【０００４】
このことから、プランターによる野菜類の栽培には、床土の給水力・保水力に見合う程度の水量の灌水を絶えず行うなど、給水の頻度を多くした管理が必要となってくる。
【０００５】
そしてこの日々行う灌水は、数日でも怠れば、栽培している野菜類に、水の不足により枯死を招くようになる。このため、プランターによる野菜類の栽培には、日々行わなければならない灌水のために、数日の放置も許されない制約を伴う。
【０００６】
プランターに栽培する植物が性状な生育のために、日々に要する水の、５〜１０倍程度の量の水をプランターに供給して、その水がプランター内に保有されるようにすれば、５日ないし１０日位は灌水を行わずに放置しておいてよくなり、前述の制約は解消される。
【０００７】
この制約を解放させるための手段としては、プランター内に装入して敷き詰める床土の保水力を高めて、多量の水を保持させるようにする手段と、プランターに供給した水の全量がプランター内に保有されるようプランターの底壁を、排水孔のない水密な構造のものにしてプランター内に供給した水が外部に流出しないようにする手段が考えられる。
【０００８】
前者の手段は、プランター内に詰めた床土は、水分の保持だけでなく、栽培する植物の生育に要する栄養素も保持しなければならないものであり、栄養素の保持と水分の保持との両方が充分に行われるように床土を構成することは容易ではない問題がある。
【０００９】
また、供給した水がプランター内に保有されるよう、プランターを底部に排水孔のないものとする手段は、樹脂製のプランターにあっては、底部に排水孔のない構造のものに成形することで容易に得られるが、低コストで得られる木製のプランターにあっては、側壁・底壁の板部材の合わせ目からも溢流・排水が行われることから、供給した水がプランターから排出されない構造のものとするには困難を伴う。
【００１０】
また、プランターを、それに供給した水が、外部に排出されない構造のものとすると、供給した水のうちの、プランター内の床土に吸収・保持されない余剰の水が、プランターの内部に滞留するようになって、プランター内の床土に栽培・育成している植物の根を、空気から遮断して根腐れを生ぜしめ、植物の生育を損なわせる問題がでてくる。
【発明の概要】
【発明が解決しようとする課題】
【００１１】
本発明において解決しようとする課題は、プランターにより栽培育成する植物に対する給水の頻度を減少させるために、プランター内の植物に対し一度の灌水で供給する水の量を多くしたときに、その水が、植物の根に、根腐れを生ぜしめずにプランター内に貯留・保持されて、時日の経過により植物に有効に利用されるようにする構造のプランターを、間伐材を用いた木製プランターとして得られるようにする点にある。
【課題を解決するための手段】
【００１２】
本発明は、上述の課題を解決するための手段として、
それぞれ木材により形成した四隅に配位する角柱１と、四周を囲う側壁板と、底壁とする底板２とにより、四角な箱状の木製の容器本体ａを組み立て、その容器本体ａの内面側に、合成樹脂材等からなる非透水性の防水シートｂを内張り状に配位し、その防水シートｂの周縁部を前記四周の側壁板３の上縁に懸架して木製の容器本体ａを水密構造に構成し、その容器本体ａの内部の下半側に、生の木片のウッドチップｃを、その下半側を充たす厚さに詰め込み、そのウッドチップｃの堆積層の上面に、植物繊維よりなる有孔のシートｄを敷き込み、そのシートｄの上面側の、容器本体ａ内の上半側に、ピートモス，鹿沼土，腐葉土，及び籾殻を放線菌により堆肥醗酵させた堆肥等を配合して軽量化した床土ｅを詰め込んでなる節水型の木製プランターを提起するものである。
また、これに併せて、
四周の側壁板３の上縁に、その上縁に懸架した防水シートｂの周縁部の上から、銅板により嵌め込み枠に成形したナメクジ除けの枠縁ｆを嵌挿して、防水シートｂの周縁部を側壁板３の上縁に形着せしめたことを特徴とする節水型の木製プランターを提起し、
さらに、容器本体ａの内部の上半側に装填する床土ｅを、ピートモス，鹿沼土，腐葉土，及び籾殻を放線菌により醗酵させて堆肥化させた特殊肥料とを略等量ずつの割合で配合して調整してあることを特徴とする節水型の木製プランターを提起するものである。
【発明の効果】
【００１３】
本発明による節水型の木製プランターは、容器本体ａの内部の下半側にウッドチップｃを充填し、上半側に軽量化した床土ｅを詰め込むようにしていることから、植物を定植する前の移動作業が容易に行える。定植した植物に対する給水の際、床土の保水力を越えた多量の水を供給すると、余剰の水が、容器本体ａの下半側に形成したウッドチップｃを充填せる水溜部ｗに溜まり、時日の経過によりウッドチップｃを介して床土ｅに順次移行するようになるから、給水・灌水の頻度を少なくして、定植した植物の栽培管理を容易にし得る。そして、間伐材などの処理が厄介視されている木材で容器本体ａを作り、内側に防水シートｂを敷き込んで水密構造に構成しているのだから、安価なコストで得られる。
【図面の簡単な説明】
【００１４】
【図１】本発明を実施せる節水型の木製のプランターの正面図である。
【図２】同上プランターの縦断正面図である。
【図３】同上プランターの容器本体の組立途上における斜視図である。
【図４】同上の容器本体の組み立てに用いる角柱の斜視図である。
【図５】同上の角柱の平面図である。
【図６】同上の角柱の下端部の縦断側面図である。
【図７】同上の容器本体の組み立てに用いられる底板の斜視図である。
【図８】同上の底板の、裏返した状態の斜視図である。
【図９】同上のプランターの内部に、上半側と下半側とを仕切るように敷き込む植物繊維製のシートの一部の斜視図である。
【発明を実施するための形態】
【００１５】
次に本発明の実施の態様を実施例につき図面に従い詳述する。
【実施例１】
【００１６】
図１は、本発明を実施せる節水型の栽培容器（プランター）の正面図、図２は同上容器の縦断した正面図で、これら図において、ａはカラマツ等の間伐材を用いて組み立てた容器本体、ｂは、その容器本体ａの内側に内張り状に張設した合成樹脂製の、非透水性の防水シート、ｃは、その防水シートｂで囲い込まれた容器本体ａの内部の底部に敷き詰めたウッドチップ、ｄは、そのウッドチップｃの集積層の上面に被せて、容器本体ａの内部を上下に仕切る植物繊維よりなる有孔のシート、ｅは、この有孔のシートｄより上方における容器本体ａの内部に装填した床土、ｆは、容器本体ａの内側に内張り状に張設して容器本体ａの側壁板３の上縁部に懸架した防水シートｂの周縁部を、その側壁板３の上縁に係止させるよう、その側壁板３の上縁に嵌め込んだ銅板よりなるナメクジ除けの枠縁、ｇは容器本体ａの四隅部に配位して組み付けた角柱１の頂部に被せた銅板よりなるナメクジ除けのキャップを示す。
【００１７】
容器本体ａは、それの四隅部に配位して立設する木材の角材よりなる４本の角柱１と、木材の板材よりなる平板を横方向に複数枚並列させて四角な座板状体に組み立て、その座板状体の四つの隅部を前記４本の角柱１の各下端部に取り付けて容器本体ａの底壁を形成する底板２と、木材の板材よりなる平板を上下方向に並列させて、前記四隅部に配設する四本の角柱１の、隣り合う２本の角柱１間に渡架して周壁を形成する側壁板３とからなり、四角な平箱状に組み立ててある。
【００１８】
角柱１は、カラマツの間伐材から形成した角材を、組み立てる容器本体ａの高さ寸法に対応する長さに切断して形成したもので、この例においては、１辺が１２０ミリの１２センチ角の角材を３６０ミリの長さに切断して形成してある。
【００１９】
そして、角柱１には、図３に示している如く、組み立てる容器本体ａの四隅部に配設した状態時において、容器本体ａの中心部に向かうコーナー部１ａを挟む２つの壁面１ｂ・１ｃのそれぞれに、図４に示しているよう、角柱１の壁面１ｂ・１ｃに沿い該角柱１の長手方向となる縦方向に連続する縦の嵌合溝４と、角柱１の下端側の部位において、前記コーナー部１ａから角柱１の内部に向け横方向に沿って刳り込む横の嵌合溝５とが形設してある。
【００２０】
縦の嵌合溝４は、側壁板３の端部を嵌合させるためのもので、それの溝巾は、側壁板３の端部の板厚に対応する寸法に形成してある。この実施例においては、側壁板３の板厚を３０ミリに設定してあることから、平面視において、縦・横、各３０ミリの角穴をなすように形成してあり、かつ、角柱１の上端面から下端面に至る範囲に形設してある。
【００２１】
横の嵌合溝５は、組み立てた底板２の隅部を嵌合させて、底板２を所定の高さ位置において角柱１に組み付けるためのもので、この例においては、底板２を、適宜の巾とした板厚３０ミリの単位底板２０を、複数枚並列させて四角な座板状に組み立て、かつ、底板２下面に３０ミリ角の角棒状の連結材２１を設けて、底板２の下面が３０ミリの寸法の高さに位置するようにしていることから、角柱１の下端部で角柱１の下端面よりも３０ミリ上昇した部位に、上下の溝巾を３０ミリとして、角柱１のコーナー部１ａから角柱１の内部に向け横方向に刳り込む刳込溝状に形成してある。
【００２２】
この横の嵌合溝５の刳り込み深さは、図５において鎖線に示しているように、平面視において、壁面１ｂに設けた縦の嵌合溝４の、コーナー部１ａに対し反対側に位置する溝壁４ａから、壁面１ｃに設けた縦の嵌合溝４のコーナー部１ａに対し反対側に位置する溝壁４ａに渡る範囲を刳り込むようにしてあり、これにより、この横の嵌合溝５に底板２の隅部を嵌合させて組み付けたとき、縦の嵌合溝４に嵌挿して取り付ける側壁板３が、図６にあるように、組み付けた底板２の端縁部の上面から立ち上がる状態とするようにしている。
【００２３】
底板２は、木材から適宜の巾の平板状に形成した単位底板２０を適宜枚数、横方向に沿い巾方向に並列させ、下面側に設ける連結材２１により一体的に連結して、図７・図８にあるように四角な座板状に形成したものであり、この例においては、カラマツの間伐材から板厚３０ミリ、巾１２０ミリ、長さ７２０ミリの平板に形成した単位底板２０を、６枚巾方向に並列させ、下面側に３０ミリ角の角棒状の連結材２１を、並列した単位底板２０の長手方向と直交する方向に沿わせて取り付けることで、縦横が７２０ミリの四角な座板状に形成してある。そして、それの四隅の隅部を、前述の四本の角柱１のそれぞれの下端部に形設してある横の嵌合溝５にそれぞれ嵌合して、角柱１の底面側から螺じ込むスクリューボルトＳにより閉じ合わせることで、角柱１に一体的に連結して、容器本体ａの底板を構成するようにしてある。
【００２４】
側壁板３は、木材から適宜の巾の平板状に形成した板材を、適宜枚数、上下方向に沿い、巾方向に並列させて、角柱１と角柱１との間に渡架するよう組み付け、容器本体ａの周壁を構成するようにしているものであり、この例においては、カラマツの間伐材から、板厚３０ミリ、巾１００ミリ、長さ６００ミリの平板状の単位側壁板３０を形成し、これを三枚、一枚ずつ、それの両端部を相い隣り合う２本の角柱１の縦の嵌合溝４に嵌挿し、その溝４に沿い挿し込んでいくことで、三枚の単位側壁板３０が巾方向に継ぎ合わせた状態に連続して、容器本体ａの四面の周壁のうちの一つの周壁を構成し、これをそれぞれの面において行うことで周壁を構成するようにしている。そして、巾方向に並列する単位側壁板３０のうちの最上位に位置する単位側壁板３０の両端部と角柱１とをスクリューボルトＳにより閉じ合わせて連結することで、継ぎ合わされた三枚の単位側壁板３０の全体を角柱１に対し固定して組み付け、これにより、前述の底板２及び角柱１と共同して四角な平箱状をなす木製の容器本体ａを組み立てている。
【００２５】
防水シートｂは、上述の如く木材で組み立てた容器本体ａの内側に、内張り状に張設することで、この木製の容器本体ａの内部空間を、外部に対し水密に保持して、容器本体ａを水密構造の容器とするためのものであり、この例においては、一辺が容器本体ａの辺縁の略倍程度となる広さの一枚に連続する四角な合成樹脂製のシートを用い、これを、容器本体ａに被せ、中央部を容器本体ａの内面形状に倣わせて押し込み、四辺の辺縁部を、容器本体ａの四周の側壁板３の上縁に懸架して外側に垂らすことで、容器本体ａに取り付け装着してあり、これにより容器本体ａを内部空間が水密構造となるようにしている。側壁板３の上縁に懸けたシートｂの辺縁部は、側壁板３の上縁に、ナメクジ除けの銅板よりなる枠縁ｆを取り付ける場合には、その枠縁ｆを、側壁板３の上縁に懸架したシートｂの上から嵌め込むことで、挟着・保持させるようにしている。
【００２６】
ウッドチップｃは、上述の防水シートｂにより水密構造とした容器本体ａ内の底部に、水溜部ｗを形成するに際し、その水溜部ｗに溜まる水に対し、容器内の床土ｅに育生する作物の根がダイレクトに浸ることのないよう、水溜部ｗを床土ｅから遮断するためのもので、この例においては、深さ約３０糎の容器本体ａの半分の高さとなる約１５糎の堆積高さに敷き詰めてある。
【００２７】
そして、このウッドチップｃの堆積層の上面には、植物繊維よりなる有孔のシートｄが敷き詰められ、容器本体ａ内に装填する床土ｅは、このシートｄの上面側に、容器本体ａの深さの略半分となる約１５糎の深さに装填される。
【００２８】
有孔のシートｄには、この例においては、グリンプラ（商標名）と呼ばれる植物繊維よりなる厚さ０．１ミリ程度の薄いシートが用いてあり、これに、図Ａに示しているように、直径１センチの穴６が約１０センチの間隔で縦・横に整列して開設してある。
【００２９】
床土ｅは、保水力を大きくするためと、重量を軽くして、プランターの取り扱いを良くするために、腐葉土と、鹿沼土と、ピートモスと、特殊肥料（籾殻を放線菌により堆肥醗酵させた堆肥）とを、略等量ずつ配合して調整し、これを、前述した如く、ウッドチップｃの上面に敷き込んだ植物繊維のシートｄの上面側に投入して容器本体ａ内に装填してある。
【００３０】
このように構成してあるプランターＡは、内部に詰め込んだ床土ｅが、重量を軽くした構成にしてあり、また、容器本体ａの底部の水溜部ｗに詰め込むのが、重量の軽いウッドチップｃになっていることから、栽培しようとする植物を定植するために、プランターＡを移動させるときの作業が容易に行える。
【００３１】
また、植え付けた茄子・トマト等の植物を栽培する際の、植物に対する灌水のために、プランターＡ内の床土ｅに水を供給すると、その水はまず、保水性を良くしてある床土ｅに吸収・保持され、床土ｅの保水力を越えた水は、床土ｅが詰められている容器本体ａの上半側と、ウッドチップｃが敷き詰められている容器本体ａの下半側とを仕切る植物性繊維よりなるシートｄを透過して、容器本体ａの下半側に流れ込み、容器本体ａに内張りした防水シートｂにより外部への溢出が阻止されることで、その下半側に滞溜し、この容器本体ａの下半側を水溜部ｗとして貯溜されていくようになる。
【００３２】
この水溜部ｗに溜まる水は、水溜部ｗが、植物性のシートｄにより床土ｅから仕切られていることにより、床土ｅに繁茂する植物の根を傷めることなく貯溜される。そして、時日の経過により、床土ｅ内の水分が植物に吸収されて、床土ｅが保水力を復活してくるに従い、水溜部ｗ内のウッドチップｃが有する植物組織の、無数の孔隙による吸い上げで、床土ｅに移行して床土ｅに植え付けてある植物に吸収されていく。
【００３３】
このことから、床土ｅの保水力を越えた量の水を一度に供給しても、その保水力を越えた余剰の水が有効に貯溜されて、順次、床土ｅに供給されていくようになることで、給水・灌水の頻度を低減でき、かつ、供給した水を外部に逸出させないことで節水できるようになる。
【００３４】
そして、水溜部ｗに詰め込んであるこのウッドチップｃは、栽培容器（プランター）を構成するために、床土ｅと共に容器本体ａ内に充填したときは、生の木片のままの状態であるが、床土ｅに植物を植えつけて栽培しているプランターの使用中にあっては、水溜部ｗに溜まる水に浸される状態となることで、腐植化してくるものである。
【００３５】
春先に植物を床土ｅに定植してプランターＡの使用を開始したときに、生の木片の状態であったウッドチップｃは、定植した植物が生長してくる盛夏の頃には腐植が進んで、堆肥に近い状態になってくるから、植物の生長が進んで根が伸長し、植物性シートｄにあけられている穴６を介して水溜部ｗに入り込んできても、その根を、腐植化したウッドチップｃに含浸した水に接触させるようにするので、その根に傷みを生ぜしめることはない。そして、このウッドチップｃは腐植化により、水溜部に有効に貯溜する貯水量を増大させるようになる。
【符号の説明】
【００３６】
Ａ    プランター
Ｓ    スクリューボルト
ａ    容器本体
ｂ    防水シート
ｃ    ウッドチップ
ｄ    有孔のシート
ｅ    床土
ｆ    ナメクジ除けの枠縁
ｇ    ナメクジ除けのキャップ
ｗ    水溜部
１    角柱
１ａ  コーナー部
１ｂ  １ｃ  壁面
２    底板
２０    単位底板
２１    連結材
３    側壁板
３０    単位側壁板
４    縦の嵌合溝
４ａ  溝壁
５    横の嵌合溝
６    穴
【図１】
2011142835.tif 000003
【図２】
2011142835.tif 000004
【図３】
2011142835.tif 000005
【図４】
2011142835.tif 000006
【図５】
2011142835.tif 000007
【図６】
2011142835.tif 000008
【図７】
2011142835.tif 000009
【図８】
2011142835.tif 000010
【図９】
2011142835.tif 000011